(57)【要約】【課題】既記録メディアに同一の情報記録媒体と紐付く暗号化データを容易に追記できるようにする。【解決手段】ユーザ端末３０はコンテンツ要求時に追記の有無を指定し、追記の場合は媒体情報と既記録コンテンツの暗号化情報を配信センター１０に送る。配信センター１０では、ユーザ端末３０からのコンテンツ追記要求を受けると、追記対象の暗号化コンテンツを対応するコンテンツ鍵でいったん復号する。ユーザ端末３０からの媒体情報により暗号化鍵情報を復号して既記録コンテンツのコンテンツ鍵を復号し、この復号コンテンツ鍵によって追記対象の復号コンテンツを再暗号化し、ユーザ端末３０に配信する。ユーザ端末装置３０では、追記コンテンツを受け取ると、記録媒体に既記録コンテンツと連結するように記録する。【選択図】    図１
2008234761.tif 000002
【特許請求の範囲】
【請求項１】
少なくとも媒体固有識別子及び媒体鍵情報の媒体情報が書き込まれた情報記録媒体に、または前記情報記録媒体がセットされた状態で前記情報記録媒体とは別の情報記録媒体にコンテンツ情報を記録可能とするユーザ端末装置と、前記ユーザ端末装置に対し、複数のコンテンツ情報を要求に応じて選択的に配信する配信センター装置とを備える情報配信システムであって、
前記配信センター装置は、
前記複数のコンテンツ情報をそれぞれ任意のコンテンツ鍵によって暗号化して暗号化コンテンツを生成し、生成された暗号化コンテンツ及び対応するコンテンツ鍵を別個に管理する管理手段と、
前記ユーザ端末装置からコンテンツ要求があったとき、前記管理手段から要求に該当する暗号化コンテンツ及びコンテンツ鍵を取り出し、ユーザ端末装置から同時に提供される前記情報記録媒体の媒体情報を用いて前記コンテンツ鍵を暗号化することで暗号化鍵情報を生成して、前記暗号化コンテンツと共にあるいは別個に前記ユーザ端末装置に配信する第１の暗号化処理手段と、
前記ユーザ端末装置からコンテンツ要求と共に追記指示があったとき、前記管理手段から要求に該当する暗号化コンテンツ及びコンテンツ鍵を取り出してその暗号化コンテンツを復号し、ユーザ端末装置から同時に提供される前記情報記録媒体の媒体情報及び既記録コンテンツの暗号化鍵情報を受け取ってその暗号化鍵情報を前記媒体情報に基づいて復号してコンテンツ鍵を復号し、この復号コンテンツ鍵で前記復号コンテンツを再暗号化して前記ユーザ端末装置に配信する第２の暗号化処理手段とを備え、
前記ユーザ端末装置は、
前記配信センター装置に前記複数のコンテンツを選択的に要求する際に、前記情報記録媒体から前記媒体情報を読み出して前記要求と共に通知し、前記配信センター装置から配信される暗号化コンテンツ及び暗号化鍵情報を前記情報記録媒体に、または前記情報記録媒体がセットされた状態で前記情報記録媒体とは別の情報記録媒体に記録させる第１の処理手段と、
前記配信センター装置に前記複数のコンテンツを選択的に要求する際に、前記第１の処理手段で前記暗号化コンテンツが記録された情報記録媒体に要求コンテンツを追記すること、及びその既記録コンテンツの暗号化鍵情報を前記要求と共に通知し、前記配信センター装置から配信される暗号化コンテンツを前記既記録コンテンツが記録された情報記録媒体にその既記録コンテンツと連結するように記録させる第２の処理手段とを備えることを特徴とする情報配信システム。
【請求項２】
少なくとも媒体固有識別子及び媒体鍵情報の媒体情報が書き込まれた情報記録媒体に、または前記情報記録媒体がセットされた状態で前記情報記録媒体とは別の情報記録媒体にコンテンツ情報を記録可能とするユーザ端末装置に対し、複数のコンテンツ情報を要求に応じて選択的に配信する情報配信システムの配信センター装置であって、
前記複数のコンテンツ情報をそれぞれ任意のコンテンツ鍵によって暗号化して暗号化コンテンツを生成し、生成された暗号化コンテンツ及び対応するコンテンツ鍵を別個に管理する管理手段と、
前記ユーザ端末装置からコンテンツ要求があったとき、前記管理手段から要求に該当する暗号化コンテンツ及びコンテンツ鍵を取り出し、ユーザ端末装置から同時に提供される前記情報記録媒体の媒体情報を用いて前記コンテンツ鍵を暗号化することで暗号化鍵情報を生成して、前記暗号化コンテンツと共にあるいは別個に前記ユーザ端末装置に配信する第１の暗号化処理手段と、
前記ユーザ端末装置からコンテンツ要求と共に追記指示があったとき、前記管理手段から要求に該当する暗号化コンテンツ及びコンテンツ鍵を取り出してその暗号化コンテンツを復号し、ユーザ端末装置から同時に提供される前記情報記録媒体の媒体情報及び既記録コンテンツの暗号化鍵情報を受け取ってその暗号化鍵情報を前記媒体情報に基づいて復号してコンテンツ鍵を復号し、この復号コンテンツ鍵で前記復号コンテンツを再暗号化して前記ユーザ端末装置に配信する第２の暗号化処理手段と
を備えることを特徴とする情報配信システムの配信センター装置。
【請求項３】
少なくとも媒体固有識別子及び媒体鍵情報の媒体情報が書き込まれた情報記録媒体に、または前記情報記録媒体がセットされた状態で前記情報記録媒体とは別の情報記録媒体にコンテンツ情報を記録可能とし、配信センター装置から複数のコンテンツ情報を選択的に要求してその配信を受ける情報配信システムのユーザ端末装置であって、
前記配信センター装置が、前記複数のコンテンツ情報をそれぞれ任意のコンテンツ鍵によって暗号化して暗号化コンテンツを生成し、生成された暗号化コンテンツ及び対応するコンテンツ鍵を別個に管理し、コンテンツ要求があったとき、要求に該当する暗号化コンテンツ及びコンテンツ鍵を取り出し、前記要求と同時に提供される前記情報記録媒体の媒体情報を用いて前記コンテンツ鍵を暗号化することで暗号化鍵情報を生成して、前記暗号化コンテンツと共にあるいは別個に要求元に配信し、前記コンテンツ要求と共に追記指示があったとき、前記要求に該当する暗号化コンテンツ及びコンテンツ鍵を取り出してその暗号化コンテンツを復号し、要求と同時に提供される前記情報記録媒体の媒体情報及び既記録コンテンツの暗号化鍵情報を受け取ってその暗号化鍵情報を前記媒体情報に基づいて復号してコンテンツ鍵を復号し、この復号コンテンツ鍵で前記復号コンテンツを再暗号化して要求元に配信するとき、
前記配信センター装置に前記複数のコンテンツを選択的に要求する際に、前記情報記録媒体から前記媒体情報を読み出して前記要求と共に通知し、前記配信センター装置から配信される暗号化コンテンツ及び暗号化鍵情報を前記情報記録媒体に、または前記情報記録媒体がセットされた状態で前記情報記録媒体とは別の情報記録媒体に記録させる第１の処理手段と、
前記配信センター装置に前記複数のコンテンツを選択的に要求する際に、前記第１の処理手段で前記暗号化コンテンツが記録された情報記録媒体に要求コンテンツを追記すること、及びその既記録コンテンツの暗号化鍵情報を前記要求と共に通知し、前記配信センター装置から配信される暗号化コンテンツを前記既記録コンテンツが記録された情報記録媒体にその既記録コンテンツと連結するように記録させる第２の処理手段と
を備えることを特徴とする情報配信システムのユーザ端末装置。
【請求項４】
少なくとも媒体固有識別子及び媒体鍵情報の媒体情報が書き込まれた情報記録媒体に、または前記情報記録媒体がセットされた状態で前記情報記録媒体とは別の情報記録媒体にコンテンツ情報を記録可能とするユーザ端末装置と、前記ユーザ端末装置に対し、複数のコンテンツ情報を要求に応じて選択的に配信する配信センター装置とを備える情報配信システムに用いられ、
前記配信センター装置では、
前記複数のコンテンツ情報をそれぞれ任意のコンテンツ鍵によって暗号化して暗号化コンテンツを生成し、生成された暗号化コンテンツ及び対応するコンテンツ鍵を別個に管理し、
前記ユーザ端末装置からコンテンツ要求があったとき、その要求に該当する暗号化コンテンツ及びコンテンツ鍵を取り出し、ユーザ端末装置から同時に提供される前記情報記録媒体の媒体情報を用いて前記コンテンツ鍵を暗号化することで暗号化鍵情報を生成して、前記暗号化コンテンツと共にあるいは別個に前記ユーザ端末装置に配信し、
前記ユーザ端末装置からコンテンツ要求と共に追記指示があったとき、その要求に該当する暗号化コンテンツ及びコンテンツ鍵を取り出して当該コンテンツ鍵によって暗号化コンテンツを復号し、ユーザ端末装置から同時に提供される前記情報記録媒体の媒体情報及び既記録コンテンツの暗号化鍵情報を受け取ってその暗号化鍵情報を前記媒体情報に基づいて復号してコンテンツ鍵を復号し、この復号コンテンツ鍵で前記復号コンテンツを再暗号化して前記ユーザ端末装置に配信するようにし、
前記ユーザ端末装置では、
前記配信センター装置に前記複数のコンテンツを選択的に要求する際に、前記情報記録媒体から前記媒体情報を読み出して前記要求と共に通知し、前記配信センター装置から配信される暗号化コンテンツ及び暗号化鍵情報を前記情報記録媒体に、または前記情報記録媒体がセットされた状態で前記情報記録媒体とは別の情報記録媒体に記録させ、
前記配信センター装置に前記複数のコンテンツを選択的に要求する際に、前記暗号化コンテンツが記録された情報記録媒体に要求コンテンツを追記すること、及びその既記録コンテンツの暗号化鍵情報を前記要求と共に通知し、前記配信センター装置から配信される暗号化コンテンツを前記既記録コンテンツが記録された情報記録媒体にその既記録コンテンツと連結するように記録させるようにすることを特徴とする情報配信システムの情報配信方法。
【発明の詳細な説明】
【技術分野】
【０００１】
本発明は、電子データによる映像コンテンツ等の情報を暗号化し、情報配信装置からネットワークを通じてユーザ端末装置に配信する情報配信システムに関する。
【背景技術】
【０００２】
昨今、ブロードバンドの普及により、通信回線を利用して電子データによる映像コンテンツを配信するサービスが盛んに行われている。その中に、情報記録媒体内の読み出し専用領域（Read-only area）に書き込まれたメディアＩＤ等の媒体固有の情報を用いて暗号化鍵を生成し、この暗号化鍵により映像コンテンツを暗号化して配信するものとし、配信事業者とユーザとの間で契約がなされた特定の情報記録媒体を利用することを条件とするサービスが実用化されている。
【０００３】
具体的には、映像配信サービスとして、ＣＰＲＭ（Content Protection for Recordable Media）あるいはＡＡＣＳ（Advanced Access Content System）等に対応の情報記録媒体を利用して映像データを暗号化して配信するサービスが普及されつつある。
【０００４】
この映像配信サービスでは、ユーザは、ユーザ端末装置に対し、契約がなされた情報記録媒体（ＩＣメモリカード（ＳＤ等）、ＣＤ−Ｒ、ＣＤ−Ｒ／Ｗ、ＤＶＤ−Ｒ、ＤＶＤ−Ｒ／Ｗ、ＤＶＤ＋Ｒ、ＤＶＤ＋Ｒ／Ｗ、ＤＶＤ−ＲＡＭ等）をセットし、その固有情報が読み出し可能となった状態で、市販のＤＶＤパッケージ同様の永久視聴が可能な購入型、あるいは、期間限定で視聴が可能なレンタル型のいずれかを選択して任意の映像コンテンツの配信要求を指示する。このとき、ユーザ端末装置は、その要求情報と共にセット媒体の固有情報を配信センター装置に提示する。
【０００５】
これに対し、配信センター装置では、内部でのコンテンツ流通を防止するため、複数の映像コンテンツを互いに異なる鍵によって暗号化された状態で蓄積し、それぞれの鍵をコンテンツとは別に管理されている。そして、ユーザ端末装置から要求情報及びセット媒体の固有情報を受けたとき、そのセット媒体の固有情報を用いて指定コンテンツを暗号化している鍵を暗号化し、指定コンテンツと共に要求元に配信する。一方、ユーザ端末装置では、配信センター装置から配信される暗号化された映像コンテンツをダウンロードし、これに伴って送られてくる暗号化鍵をセット媒体の固有情報を用いて復号し、復号された鍵によって暗号化された映像コンテンツを復号することで映像を視聴可能となる（例えば特許文献１及び特許文献２参照）。
【０００６】
ところが、上記のような従来の映像配信サービスの運用形式では、ユーザが既記録コンテンツに新たなコンテンツを追記する場合に、それぞれ異なる鍵によって暗号化された状態で保存されることになる。このため、連続再生時に鍵の切替期間が必要となってしまう。また、ＣＰＲＭでは、１つの媒体の固有情報について１コンテンツしか管理することができないため、基本的に追記することができない。これを改善するためには、一度それぞれのコンテンツを個別に復号し、連結処理した後に再度暗号化する必要があり、ユーザ側にとって負荷の大きい処理が強いられることになる。
【特許文献１】特願２００４−３５０１５０
【特許文献２】特願２００５−１５９７５２
【発明の開示】
【発明が解決しようとする課題】
【０００７】
以上述べたように、従来の映像配信サービスに代表される情報配信システムでは、著作権保護のための固有情報が付された情報記録媒体を利用し、この情報記録媒体と紐付く形で暗号化されたデータをダウンロードして記録メディアに保存するため、既記録メディアに同一の情報記録媒体と紐付く暗号化データを追記することが困難であった。
【０００８】
本発明は、上記の問題を解決し、著作権保護のための固有情報が付された情報記録媒体を利用し、この情報記録媒体と紐付く形で暗号化されたデータをダウンロードして記録メディアに保存する運用形式でも、既記録メディアに同一の情報記録媒体と紐付く暗号化データを容易に追記することが可能な情報配信システムと配信センター装置、ユーザ端末装置及び情報配信方法を提供することを目的とする。
【課題を解決するための手段】
【０００９】
上記の目的を達成するために本発明は、少なくとも媒体固有識別子及び媒体鍵情報の媒体情報が書き込まれた情報記録媒体に、または前記情報記録媒体がセットされた状態で前記情報記録媒体とは別の情報記録媒体にコンテンツ情報を記録可能とするユーザ端末装置と、前記ユーザ端末装置に対し、複数のコンテンツ情報を要求に応じて選択的に配信する配信センター装置とを備える情報配信システムであって、
前記配信センター装置は、前記複数のコンテンツ情報をそれぞれ任意のコンテンツ鍵によって暗号化して暗号化コンテンツを生成し、生成された暗号化コンテンツ及び対応するコンテンツ鍵を別個に管理する管理手段と、前記ユーザ端末装置からコンテンツ要求があったとき、前記管理手段から要求に該当する暗号化コンテンツ及びコンテンツ鍵を取り出し、ユーザ端末装置から同時に提供される前記情報記録媒体の媒体情報を用いて前記コンテンツ鍵を暗号化することで暗号化鍵情報を生成して、前記暗号化コンテンツと共にあるいは別個に前記ユーザ端末装置に配信する第１の暗号化処理手段と、前記ユーザ端末装置からコンテンツ要求と共に追記指示があったとき、前記管理手段から要求に該当する暗号化コンテンツ及びコンテンツ鍵を取り出してその暗号化コンテンツを復号し、ユーザ端末装置から同時に提供される前記情報記録媒体の媒体情報及び既記録コンテンツの暗号化鍵情報を受け取ってその暗号化鍵情報を前記媒体情報に基づいて復号してコンテンツ鍵を復号し、この復号コンテンツ鍵で前記復号コンテンツを再暗号化して前記ユーザ端末装置に配信する第２の暗号化処理手段とを備え、  
前記ユーザ端末装置は、前記配信センター装置に前記複数のコンテンツを選択的に要求する際に、前記情報記録媒体から前記媒体情報を読み出して前記要求と共に通知し、前記配信センター装置から配信される暗号化コンテンツ及び暗号化鍵情報を前記情報記録媒体に、または前記情報記録媒体がセットされた状態で前記情報記録媒体とは別の情報記録媒体に記録させる第１の処理手段と、前記配信センター装置に前記複数のコンテンツを選択的に要求する際に、前記第１の処理手段で前記暗号化コンテンツが記録された情報記録媒体に要求コンテンツを追記すること、及びその既記録コンテンツの暗号化鍵情報を前記要求と共に通知し、前記配信センター装置から配信される暗号化コンテンツを前記既記録コンテンツが記録された情報記録媒体にその既記録コンテンツと連結するように記録させる第２の処理手段とを備えることを特徴とする。
【００１０】
すなわち、上記構成による情報配信システムにおいて、ユーザ端末装置では、コンテンツ要求指示のみのとき、指定されたコンテンツを要求すると共に、情報記録媒体から媒体情報を読み出して配信センター装置に送信し、追記指定ありのときは、指定のコンテンツ要求、媒体情報と共に既記録コンテンツに対する暗号化鍵情報を読み出して配信センター装置に送信する。配信センター装置では、ユーザ端末装置からコンテンツ要求があった場合、その要求に追記指示がない場合には、要求対象の暗号化コンテンツを復号するためのコンテンツ鍵の発行し、コンテンツ鍵をユーザ端末装置から送られてくる媒体情報を用いて暗号化して、暗号化鍵情報を生成し、要求対象の暗号化コンテンツと共にユーザ端末装置に配信するものとし、要求に追記指示ありの場合には、追記対象となる暗号化コンテンツを復号するためのコンテンツ鍵を発行して追記対象の暗号化コンテンツでいったん復号すると共に、ユーザ端末装置から受け取った媒体情報を用いて暗号化鍵情報から既記録コンテンツのコンテンツ鍵を復号し、このコンテンツ鍵によって上記復号コンテンツを再暗号化し、追記要求対象として再暗号化コンテンツのみをユーザ端末装置に配信する。以上の処理により、ユーザ端末装置では、新規コンテンツ要求の場合には、配信センター装置から要求対象の暗号化コンテンツと共に暗号化鍵情報を受け取り、共に情報記録媒体に記録する。また、追記コンテンツ要求の場合には、配信センター装置から追記要求対象の暗号化コンテンツを受け取り、記録媒体に既記録コンテンツと連結するように記録する。この結果、再生時において、追記コンテンツは既記録コンテンツと同じコンテンツ鍵で復号されるため、再生途中で鍵の入れ替えによる中断が生じるような問題を解消すること可能となる。
【発明の効果】
【００１１】
本発明によれば、著作権保護のための固有情報が付された情報記録媒体を利用し、この情報記録媒体と紐付く形で暗号化されたデータをダウンロードして記録メディアに保存する運用形式でも、既記録メディアに同一の情報記録媒体と紐付く暗号化データを容易に追記することが可能な情報配信システムと配信センター装置、ユーザ端末装置及び情報配信方法を提供することができる。
【発明を実施するための最良の形態】
【００１２】
以下、本発明の実施の形態について図面を参照して詳細に説明する。
【００１３】
図１は本発明に係る情報配信システムとして映像配信サービスを行う場合の一実施形態を示すブロック図である。図１において、１０はユーザ情報を管理し、要求される映像コンテンツを暗号化して配信する配信センター装置、２０は通信回線、３０は通信回線２０を通じて配信センター装置１０にアクセスし、暗号化された映像コンテンツをダウンロードすると共に、その暗号化を復号するための鍵情報を受け取り、この鍵情報により暗号化された映像コンテンツを復号してユーザに提示するユーザ端末装置である。
【００１４】
上記配信センター装置１０は、暗号化コンテンツ格納部１１及びコンテンツ鍵格納部１２を備える。すなわち、配信用の複数の映像コンテンツは、予め個別に与えられる鍵情報によって暗号化されて、それぞれ暗号化コンテンツ格納部１１に格納される。また、これとは別個に、それぞれコンテンツの暗号化に使用したコンテンツ鍵はコンテンツ鍵格納部１２に格納される。このように、配信センター装置１０では、映像コンテンツとコンテンツ鍵を別個に管理し、内部から暗号化コンテンツが漏洩したとしても、そのコンテンツ鍵が取得できないようにすることで、著作権保護の強化を図るものとする。
【００１５】
また、上記配信センター装置１０は、ユーザ管理部１３及び情報配信処理部１４を備える。ユーザ管理部１３は、予め申請によって取得したユーザ情報を登録し、その登録情報を元にアクセスユーザの認証、配信内容の管理を行う。情報配信処理部１４は、通信回線２０を介してユーザ端末装置３０から送られてくるデータ要求を受け付け、要求時にユーザ管理部１３と連携して認証処理を行う。そして、その認証許可を受けた場合には、ユーザ端末装置３０に、要求コンテンツの指定、媒体情報（詳細は後述する）の提示、追記の有無、追記有りの場合における既記録コンテンツの暗号化鍵の提示を要求する。それぞれの要求情報を受け取った場合には、配信コンテンツ処理部１５に受け取った要求情報を渡し、該当するコンテンツ等の発行を指示する。この指示に応じて、コンテンツ等が発行された場合には、そのコンテンツ等をユーザ端末装置３０に配信する。
【００１６】
配信コンテンツ処理部１５は、ユーザが要求するコンテンツに対応する暗号化コンテンツを暗号化コンテンツ格納部１１から読み出して暗号化処理部１５１にセットする。また、その暗号化コンテンツの暗号化に使用したコンテンツ鍵をコンテンツ鍵格納部１２から読み出し、鍵発行処理部１５２にセットする。また、装置固有鍵情報格納部１５３に予め登録される装置固有鍵情報（ユーザ端末装置毎に付与される固有情報に基づいて生成される鍵情報）から該当する装置固有鍵情報を読み出して暗号化処理部１５１にセットする。
【００１７】
暗号化処理部１５１は、追記の有無を判別し、追記無しの場合には、暗号コンテンツ格納部１１から読み出された暗号化コンテンツをそのまま情報配信処理部１４に渡すと共に、その暗号化コンテンツの暗号化に用いたコンテンツ鍵を鍵発行処理部１５２から受け取り、装置固有鍵情報とユーザからの媒体情報とを組み合わせた情報を鍵として、受け取ったコンテンツ鍵そのものを暗号化して情報配信処理部１４に渡す。また、追記有りの場合には、ユーザからの媒体情報及び暗号化鍵を受け取り、媒体情報と装置固有鍵情報に基づいて暗号化鍵から追記用のコンテンツ鍵を復号する。そして、暗号化コンテンツ格納部１１から読み出された暗号化コンテンツを鍵発行処理部１５２で発行されるコンテンツ鍵によって復号し、先の復号された追記用のコンテンツ鍵によって復号コンテンツを再暗号化して情報配信処理部１４に渡す。
【００１８】
以上のように、配信センター装置１０からは、追記なし（新規）の場合は、暗号化コンテンツとそのコンテンツ鍵を暗号化した暗号化鍵とを配信し、追記有りの場合は、提供した暗号化鍵から復号されるコンテンツ鍵によって暗号化コンテンツを再暗号化して配信する。
【００１９】
これに対し、ユーザ端末装置３０は、配信センター装置１０とデータ通信を行うための通信処理部３１、ユーザのコンテンツ配信要求、追記の有無等の情報の操作入力を受ける操作入力部３２、ＣＰＲＭ対応の情報記録媒体（例えばＤＶＤ−ＲＷ）の記録再生を行う媒体ドライブ部３３、媒体ドライブ部３３から再生される暗号化コンテンツを復号して再生出力する復号・再生部３４、本装置に割り当てられ、暗号化の復号に供される装置固有鍵情報を格納する装置固有鍵情報格納部３５、復号・再生部３４で再生されたコンテンツを提示するモニタ部３６を備える。
【００２０】
上記通信処理部３１は、コンテンツ要求処理部３１１及び記録処理部３１２を備える。  
上記コンテンツ要求処理部３１１は、操作入力部３２からユーザのコンテンツ配信要求の操作入力指示を受けたとき、配信センター装置１０にアクセスしてユーザ認証を受けると共に、媒体ドライブ部３３を起動して、当該ドライブ部３３にセットされている媒体（以下、セット媒体）から記録されている媒体固有の識別子情報（以下、媒体情報）を読み出し、この媒体情報をコンテンツ配信要求、追記の有無等の情報と共に配信センター装置１０に送る。このとき、操作入力部３２から追記の指示が与えられた場合には、セット媒体から既記録コンテンツの暗号化鍵も読み取り、この暗号化鍵も配信センター装置１０に送る。
【００２１】
また、記録処理部３１１は、配信センター装置１０からコンテンツ配信要求に対する暗号化コンテンツとその暗号化鍵の配信を受け取ったとき、これらを媒体ドライブ部３３に送り、セット媒体に記録させる。また、配信要求で追記を指定しているときは、配信センター装置１０から配信される暗号化コンテンツを媒体ドライブ部３３に送り、セット媒体に既記録コンテンツと連結するように記録させる。
【００２２】
上記媒体ドライブ部３３は、操作入力部３２からの再生コンテンツの指定、再生開始の指示に応じて、セット媒体から指定コンテンツ、このコンテンツに対する暗号化鍵及び媒体情報を読み出し、復号・再生部３４に送る。この復号・再生部３４では、媒体情報と装置固有鍵情報格納部３５に格納される装置固有鍵情報とを用いて暗号化鍵を復号することでコンテンツ鍵を取り出し、このコンテンツ鍵によって暗号化コンテンツを復号して、モニタ３６に再生出力する。
【００２３】
上記構成において、以下、配信センター装置１０及びユーザ端末装置３０それぞれの具体的な処理手順を説明する。
【００２４】
図２は、上記ユーザ端末装置３０において、配信センター装置１０にコンテンツを要求する指示が入力された場合の通信処理部３１の処理手順を示すフローチャートである。まず、操作入力部３２からコンテンツ要求指示が与えられると（ステップＳ１１）、指示情報に追記が指定されているか否かを判断し（ステップＳ１２）、追記指定がない場合には、指定されたコンテンツを要求すると共に、セット媒体から媒体情報を読み出して配信センター装置１０に送信する（ステップＳ１３）。ステップＳ１２で追記指定ありと判断された場合には、セット媒体から媒体情報、及び既記録コンテンツに対する暗号化鍵情報を読み出して、追記するコンテンツの要求と共に配信センター装置１０に送信する（ステップＳ１４）。
【００２５】
図３は、上記配信センター装置１０において、ユーザ端末装置３０からコンテンツ要求があった場合の暗号化処理部１５１の処理手順を示すフローチャートである。まず、ユーザ端末装置３０からコンテンツ要求があった場合、その要求に追記が指示されているか否かを判断し（ステップＳ２１）、追記指示がない場合には、要求対象の暗号化コンテンツ（Ａ）の選択を指示し、この暗号化コンテンツ（Ａ）を復号するためのコンテンツ鍵（Ａ）の発行を指示する（ステップＳ２２）。続いて、コンテンツ鍵（Ａ）をユーザ端末装置３０から送られてくる媒体情報及び装置固有鍵情報格納部１５３に格納される装置固有鍵情報により暗号化して、暗号化鍵情報（Ａ）を生成し（ステップＳ２３）、ステップＳ２２で得られた要求対象の暗号化コンテンツ（Ａ）と共に、ユーザ端末装置３０に配信させる。
【００２６】
一方、ステップＳ２１で要求に追記指示ありと判断された場合には、追記対象となる暗号化コンテンツ（Ｂ）の選択を指示し、この暗号化コンテンツ（Ｂ）を復号するためのコンテンツ鍵（Ｂ）の発行を指示する（ステップＳ２５）。次に、暗号化コンテンツ（Ｂ）をコンテンツ鍵（Ｂ）でいったん復号すると共に（ステップＳ２６）、ユーザ端末装置３０から受け取った媒体情報と装置固有鍵情報格納部１５３に格納される装置固有鍵情報により暗号化鍵情報からコンテンツ鍵（Ａ）を復号する（ステップＳ２７）。そして、復号したコンテンツ鍵（Ａ）によって復号コンテンツ（Ｂ）を再暗号化し（ステップＳ２８）、追記要求対象として暗号化コンテンツ（Ｂ）のみをユーザ端末装置３０に配信させる（ステップＳ２９）（暗号化鍵はユーザ端末装置３０側で持っているので送信不要）。
【００２７】
以上の処理により、ユーザ端末装置３０では、新規コンテンツ要求の場合には、配信センター装置１０から要求対象の暗号化コンテンツ（Ａ）と共に暗号化鍵情報（Ａ）を受け取り、共に記録媒体に記録する。また、追記コンテンツ要求の場合には、配信センター装置１０から追記要求対象の暗号化コンテンツ（Ｂ）を受け取り、記録媒体に既記録コンテンツと連結するように記録する。この結果、再生時において、追記コンテンツ（Ｂ）は既記録コンテンツ（Ａ）と同じコンテンツ鍵で復号されるため、再生途中で鍵の入れ替えによる中断が生じる問題を解消することができる。
【００２８】
尚、上記実施形態では、媒体情報を提示した媒体に暗号化コンテンツを記録するものとし、この暗号化コンテンツの記録先と同じ記録媒体に暗号化鍵情報を記録するようにしたが、ＣＰＲＭ対応の記録媒体としてＳＤ（Secure Digital）カードメモリの媒体情報を提供し、暗号化コンテンツ、暗号化鍵情報をハードディスクやＤＶＤ−ＲＷに記録する等、記録先が媒体情報の提供元と異なっていても、媒体情報を提供した記録媒体がセットされていれば、その媒体情報が取り出せるので、実質的に問題は生じない。
【００２９】
また、本発明では、暗号化コンテンツと暗号化鍵情報を必ずしも一緒に配信する必要はなく、記録コンテンツの再生要求に応じて、その都度暗号化鍵を配信するようにした場合にも、同様に実施可能である。
【００３０】
その他、本発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３１】
【図１】本発明に係る情報配信システムとして映像配信サービスを行う場合の一実施形態を示すブロック図。
【図２】図１に示すユーザ端末装置の通信処理部の処理手順を示すフローチャート。
【図３】図１に示す配信センター装置の暗号化処理部の処理手順を示すフローチャート。
【符号の説明】
【００３２】
１０…配信センター装置、１１…暗号化コンテンツ格納部、１２…コンテンツ鍵格納部、１３…ユーザ管理部、１４…情報配信処理部、１５…配信コンテンツ処理部、１５１…暗号化処理部、１５２…鍵発行処理部、１５３…装置固有鍵情報格納部、２０…通信回線、３０…ユーザ端末装置、３１…通信処理部、３２…操作入力部、３３…媒体ドライブ部、３４…復号・再生部、３５…装置固有鍵情報格納部、３６…モニタ部。
【図１】
2008234761.tif 000003
【図２】
2008234761.tif 000004
【図３】
2008234761.tif 000005